(57)【要約】  【課題】    作業者が結束作業をするために結束工具のグリップを手で握ったときに、掌の略中央部の窪みの存在によって掌とグリップとの間に無視できない空間が生じることを防止し、結束工具のグリップをスムーズにグリップ、手の力を結束工具に有効に伝えことができるようにする。  【解決手段】筒状のグリップ４に、フック６と一体又は一体的に取り付けられたシャフト８を、回転自在に内嵌状に取り付けた結束工具２であって、グリップ４の外周面に、外径が大きくされた膨らみ部１０が一体乃至一体的に形成されている。  膨らみ部１０はグリップ４の外周面に形成したゴム弾性体により形成するようにすると良い。【選択図】    図１
0003132301.tif 000002
【実用新案登録請求の範囲】
【請求項１】
筒状のグリップに、フックと一体又は一体的に取り付けられたシャフトを、回転自在に内嵌状に取り付けた結束工具であって、
上記グリップの外周面に、外径が大きくされた膨らみ部が一体乃至一体的に形成された
ことを特徴とする結束工具。
【請求項２】
上記膨らみ部が上記グリップの外周面に形成されたゴム弾性材からなる
ことを特徴とする請求項１記載の結束工具。
【考案の詳細な説明】
【技術分野】
【０００１】
本考案は、筒状のグリップに、フックと一体又は一体的に取り付けられたシャフトを、回転自在に内嵌状に取り付けた結束工具に関する。
【背景技術】
【０００２】
鉄筋コンクリートによる建築は、例えば互いに交差する鉄筋どうしを針金により結束する作業が不可欠であり、その作業は、結束すべき鉄筋を針金で結え、その後、結束工具のフックをその針金に引掛け、グリップを持ってぐるぐるまわすことによりその引掛けた部分をねじって強く結束するという方法で行われる。
【０００３】
その結束に用いる結束工具は、通常のものはグリップに、先端にて針金に引掛けるフックと一体乃至一体的に取り付けられてシャフトを、回転自在に内嵌状に取り付けたものであり、特許第３１７０５３６号公報により紹介されたもののように、ベアリングにより回転自在に取り付けたものと、ベアリングを用いないものとがある。
【特許文献１】特許第３１７０５３６号公報
【考案の開示】
【考案が解決しようとする課題】
【０００４】
従来の結束工具は、特許第３１７０５３６号公報により紹介されたもののように、ベアリングにより回転自在に取り付けたものであるか、ベアリングを用いないものであるかを問わず、また、様々なグリップ形状があるにも拘わらず、作業時にグリップを握った状態において作業者の手の掌の窪みを埋めることを意図した形状のグリップは従来存在しなかった。
そのため、作業者が結束作業をするために結束工具のグリップを手で握ったときに、掌の略中央部の窪みの存在によって掌とグリップとの間に無視できない空間が生じ、結束工具のグリップをスムーズに握れず、手の力を結束工具に有効に伝えにくいという問題があった。
【０００５】
本考案は、このような問題を解決すべく為されたものであり、作業者が結束作業をするために結束工具のグリップを手で握ったときに、掌の略中央部の窪みの存在によって掌とグリップとの間に無視できない空間が生じることを防止し、結束工具のグリップをスムーズに握り、手の力を結束工具に有効に伝えことができるようにすることを目的とする。
【課題を解決するための手段】
【０００６】
本考案結束工具は、筒状のグリップに、フックと一体又は一体的に取り付けられたシャフトを、回転自在に内嵌状に取り付けた結束工具であって、上記グリップの外周面に、外径が大きくされた膨らみ部が一体乃至一体的に形成されたことを特徴とする。
上記膨らみ部は上記グリップの外周面に形成したゴム弾性体により形成するようにすると良い。
【考案の効果】
【０００７】
本考案結束工具によれば、グリップの外周面に、外径が大きくされた膨らみ部が一体乃至一体的に形成されているので、その膨らみ部をグリップを握った手の掌の窪みに位置させるように位置設定することにより、掌とグリップとの間に無視できない空間が生じることを防止し、結束工具のグリップをスムーズに握り、手の力を結束工具に有効に伝えことができ、作業がし易いようにすることができる。
そして、上記膨らみ部を上記グリップの外周面に形成したゴム弾性体により形成することとした場合には、手の掌のグリップのあたりが弾力的で、結束作業時に結束工具のグリップから手が受ける衝撃を和らげることができる。
【考案を実施するための最良の形態】
【０００８】
本考案は、基本的に、筒状のグリップに、フックと一体又は一体的に取り付けられたシャフトを、回転自在に内嵌状に取り付けた結束工具であって、上記グリップの外周面に、外径が大きくされた膨らみ部が一体乃至一体的に形成されたものであり、前述のように、上記膨らみ部を上記グリップの外周面に形成したゴム弾性体により形成するようにすると良い。
本考案は、特許第３１７０５３６号公報により紹介されたもののように、ベアリングにより回転自在に取り付けたタイプのものにも、ベアリングを用いないタイプのものにも適用することができる。
【実施例１】
【０００９】
以下、本考案の詳細を図示実施例に基いて説明する。
図１は本考案結束工具の一つの実施例を示す平面図である。
図面において、２は結束工具、４は結束工具２の筒状のグリップ（握り）、６はフックで、シャフト８と一体又は一体的に連結されている。
シャフト８は、筒状のグリップ４に内嵌されたゴム弾性を有するハウジング（図面に現れない）に回転自在に内嵌されている。
【００１０】
尚、結束工具２には、ハウジングとシャフトとの間にベアリングがあるタイプのものと無いタイプのものとがあり、本考案はそのいずれのものにも適用することができる。
また、グリップ４の内部には、ハウジングと、ベアリング（無い場合もある。）と、シャフトと、シャフト及びフックをグリップに対して先端側に付勢するスプリング等があるが、本考案の本質は内部構造には存しないので、その説明は省略する。
因みに、ベアリングを用いたタイプの場合、その内部構造は特許第３１７０５３６号公報に記載された結束工具の内部構造と基本的に同じである。
【００１１】
１０はグリップ４の外周面に一体乃至一体的に形成された膨らみ部で、外径が大きくされている。この膨らみ部１０は上記グリップ４の外周面に形成したゴム弾性体により形成すると良い。
【００１２】
このような結束工具によれば、グリップ４の外周面に、外径が大きくされた膨らみ部１０が形成されているので、その膨らみ部１０をグリップ４を握った手の掌の窪みに位置するように位置設定することにより、掌とグリップとの間に無視できない空間が生じることを防止し、結束工具のグリップをスムーズに握り、手の力を結束工具２に有効に伝えことができ、作業がし易いようにすることができる。
【００１３】
そして、膨らみ部１０をグリップ４の外周面に形成したゴム弾性体により形成するようにすると、手の掌へのグリップのあたりが弾力的で、結束作業時に結束工具のグリップから手が受ける衝撃力を和らげることができる。
【００１４】
図２（Ａ）、（Ｂ）は本発明結束工具の他の各別の実施例２ａ、２ｂを示す平面図である。
【産業上の利用可能性】
【００１５】
本考案は、筒状のグリップに、フックと一体又は一体的に取り付けられたシャフトを、回転自在に内嵌状に取り付けた結束工具に産業上の利用可能性があり、ベアリングを用いたタイプのものにも、用いないものにも利用可能性がある。
【図面の簡単な説明】
【００１６】
【図１】本考案結束工具の一つの実施例を示す平面図である。
【図２】（Ａ）、（Ｂ）は本発明結束工具の他の各別の実施例を示す平面図である。
【符号の説明】
【００１７】
２、２ａ、２ｂ・・・結束工具、４・・・グリップ、６・・・フック、
８・・・シャフト、８・・・膨らみ部。
【図１】
0003132301.tif 000003
【図２】
0003132301.tif 000004